【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に備えた遊技板と、
前記遊技板の前面から突出し、前記遊技領域のうち遊技球が流下可能な側方の境界位置に配置された側方境界面を有する側方境界部材と、
前記遊技領域に配置され、遊技状況に応じた演出を行う遊技演出部と、
前記遊技演出部の側縁部に配置されて前記遊技板の前面から突出し、前記遊技板の左右方向で前記側方境界面に対向した演出部材側縁突壁と、
前記遊技板の前面から突出し、前記遊技領域のうち前記演出部材側縁突壁と前記側方境界面とに挟まれた側部領域を、遊技球が流下可能な複数の流下経路に分割する流下経路分割突部とを備えた遊技機において、
前記側方境界面に開口するか又は、前記側方境界面と隣り合わせに配置されて上方に開口し、遊技球が入球又は通過可能であると共に入球又は通過したときに遊技者に利益を付与する側方境界入賞口と、
前記側方境界入賞口の開口縁から前記演出部材側縁突壁に向かって斜め上方に延びて前記側方境界入賞口に遊技球を誘導可能な入賞ガイド面を有する誘導部材と、
前記誘導部材と前記演出部材側縁突壁との間に設けられ、前記側方境界入賞口から外れた遊技球が通過可能な側方外れ球通過路とが備えられ、
前記側方境界入賞口の上方位置には、前記側方境界面から前記演出部材側縁突壁に向かって張り出し、上方から受けた遊技球を斜め下方に案内する張出部と、その張出部の先端から斜め下方に、遊技球１つ以上２つ未満の間隔を空けた位置に配置され、前記張出部から受けた遊技球を斜め下方に案内する前記流下経路分割突部とが設けられて、
前記張出部と前記流下経路分割突部とを結ぶ線の延長線が前記側方境界入賞口から外れる配置になっていることを特徴とする遊技機。
【請求項２】
前記流下経路分割突部は、前記側部領域のうち前記側方境界入賞口より上方に配置され、
前記入賞ガイド面の最上端位置と前記側方境界面とを水平に結ぶ線分を、前記入賞ガイド面の最上端位置を中心に下方から上方に回動して最初に前記流下経路分割突部に接したときのその線分を入賞境界線分とすると共に、前記入賞境界線分と前記入賞ガイド面と前記側方境界面とに囲まれた領域を、前記入賞境界線分と前記入賞ガイド面と前記側方境界面とに囲まれていない領域よりも前記側方境界入賞口に入球又は通過し易い高確率流下領域とし、その高確率流下領域が１つ以上の遊技球が進入可能な大きさになるように前記流下経路分割突部を配置し、かつ前記側方境界面と前記入賞境界線分との交差部には遊技球が入球可能な入球部を設けないことを特徴とする請求項１に記載の遊技機。
【請求項３】
前記入賞境界線分が接する前記流下経路分割突部は、遊技球が内側を通過可能な門形構造をなした入球ゲートであり、前記側方境界面と前記演出部材側縁突壁との間が、前記入球ゲートの内側の第１流下経路と、前記入球ゲートより前記演出部材側縁突壁側の第２流下経路と、前記入球ゲートより前記側方境界面側の第３流下経路とに分割されていることを特徴とする請求項２に記載の遊技機。
【請求項４】
前記遊技板の前面から突出し、前記遊技領域を囲む包囲壁と、
前記遊技領域内における前記演出部材側縁突壁の側方位置で前記遊技板の前面から突出し、前記包囲壁に宛がわれたサイド突部とが備えられ、
前記包囲壁の一部と前記サイド突部とから前記側方境界部材は構成されていることを特徴とする請求項１乃至３の何れか１の請求項に記載の遊技機。
【請求項５】
前記遊技板の前面には、前記側方境界面と隣り合わせになる位置に前面開口が形成され、その前面開口の下縁部を中心にして前後に回動する前後回動蓋を設けて、前記前後回動蓋が前側に回動して開状態になったときは前記前後回動蓋と前面開口との間に上方に開口した前記側方境界入賞口が形成される一方、前記前後回動蓋が後側に回動して閉状態になったときは前記前後回動蓋の前方を遊技球が通過可能となるように構成したことを特徴とする請求項１乃至４の何れか１の請求項に記載の遊技機。
【請求項６】
前記側方境界面に前記側方境界入賞口が開口すると共に、その側方境界入賞口の下縁部を中心にして左右に回動して前記側方境界入賞口を開閉する左右回動蓋を設け、前記側方境界入賞口を開いたときの前記左右回動蓋を前記誘導部材としたことを特徴とする請求項１乃至４の何れか１の請求項に記載の遊技機。
【請求項７】
前記遊技板のうち前記側方境界面と前記演出部材側縁突壁に挟まれた部分の少なくとも一部が、前記遊技板の裏側を視認可能とする透光部材で構成されていることを特徴とする請求項１乃至６の何れか１の請求項に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技球が流下可能な遊技領域を前面に備えた遊技板と、遊技板の前面から突出し、遊技領域のうち遊技球が流下可能な側方の境界位置に配置された側方境界面を有する側方境界部材と、遊技領域に配置され、遊技状況に応じた演出を行う遊技演出部と、遊技演出部の側縁部に配置されて遊技板の前面から突出し、遊技板の左右方向で側方境界面に対向した演出部材側縁突壁と、遊技板の前面から突出し、遊技領域のうち演出部材側縁突壁と側方境界面とに挟まれた側部領域を、遊技球が流下可能な複数の流下経路に分割する流下経路分割突部とを備えた遊技機において、側方境界面に開口するか又は、側方境界面と隣り合わせに配置されて上方に開口し、遊技球が入球又は通過可能であると共に入球又は通過したときに遊技者に利益を付与する側方境界入賞口と、側方境界入賞口の開口縁から演出部材側縁突壁に向かって斜め上方に延びて側方境界入賞口に遊技球を誘導可能な入賞ガイド面を有する誘導部材と、誘導部材と演出部材側縁突壁との間に設けられ、側方境界入賞口から外れた遊技球が通過可能な側方外れ球通過路とが備えられ、側方境界入賞口の上方位置には、側方境界面から演出部材側縁突壁に向かって張り出し、上方から受けた遊技球を斜め下方に案内する張出部と、その張出部の先端から斜め下方に、遊技球１つ以上２つ未満の間隔を空けた位置に配置され、張出部から受けた遊技球を斜め下方に案内する流下経路分割突部とが設けられて、張出部と流下経路分割突部とを結ぶ線の延長線が側方境界入賞口から外れる配置になっているところに特徴を有する。
【手続補正３】
【補正対象書類名】明細書
【補正対象項目名】０００７
【補正方法】変更
【補正の内容】
【０００７】
請求項２の発明は、請求項１に記載の遊技機において、流下経路分割突部は、側部領域のうち側方境界入賞口より上方に配置され、入賞ガイド面の最上端位置と側方境界面とを水平に結ぶ線分を、入賞ガイド面の最上端位置を中心に下方から上方に回動して最初に流下経路分割突部に接したときのその線分を入賞境界線分とすると共に、入賞境界線分と入賞ガイド面と側方境界面とに囲まれた領域を、入賞境界線分と入賞ガイド面と側方境界面とに囲まれていない領域よりも側方境界入賞口に入球又は通過し易い高確率流下領域とし、その高確率流下領域が１つ以上の遊技球が進入可能な大きさになるところに特徴を有する。
請求項３の発明は、請求項２に記載の遊技機において、入賞境界線分が接する流下経路分割突部は、遊技球が内側を通過可能な門形構造をなした入球ゲートであり、側方境界面と演出部材側縁突壁との間が、入球ゲートの内側の第１流下経路と、入球ゲートより演出部材側縁突壁側の第２流下経路と、入球ゲートより側方境界面側の第３流下経路とに分割されているところに特徴を有する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項５の発明は、請求項１乃至４の何れか１の請求項に記載の遊技機において、遊技板の前面には、側方境界面と隣り合わせになる位置に前面開口が形成され、その前面開口の下縁部を中心にして前後に回動する前後回動蓋を設けて、前後回動蓋が前側に回動して開状態になったときは前後回動蓋と前面開口との間に上方に開口した側方境界入賞口が形成される一方、前後回動蓋が後側に回動して閉状態になったときは前後回動蓋の前方を遊技球が通過可能となるように構成したところに特徴を有する。
【手続補正９】
【補正対象書類名】明細書
【補正対象項目名】００１４
【補正方法】変更
【補正の内容】
【００１４】
請求項６の発明は、請求項１乃至４の何れか１の請求項に記載の遊技機において、側方境界面に側方境界入賞口が開口すると共に、その側方境界入賞口の下縁部を中心にして左右に回動して側方境界入賞口を開閉する左右回動蓋を設け、側方境界入賞口を開いたときの左右回動蓋を誘導部材としたところに特徴を有する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項７の発明は、請求項１乃至６の何れか１の請求項に記載の遊技機において、遊技板のうち側方境界面と演出部材側縁突壁に挟まれた部分の少なくとも一部が、遊技板の裏側を視認可能とする透光部材で構成されているところに特徴を有する。
【手続補正１２】
【補正対象書類名】明細書
【補正対象項目名】００１８
【補正方法】変更
【補正の内容】
【００１８】
［請求項２の発明］
請求項２の遊技機では、流下経路分割突部は、側部領域のうち側方境界入賞口より上方に配置され、入賞ガイド面の最上端位置と側方境界面とを水平に結ぶ線分を、入賞ガイド面の最上端位置を中心に下方から上方に回動して最初に流下経路分割突部に接したときのその線分を入賞境界線分とすると共に、入賞境界線分と入賞ガイド面と側方境界面とに囲まれた領域を、それ以外の領域よりも側方境界入賞口に入球又は通過し易い高確率流下領域とすると、高確率流下領域内には流下経路分割突部が無いことになるので、高確率流下領域内での遊技球の流下方向の変化は少ない。つまり、入賞境界線分を側方境界入賞口への実質的な側方境界入賞口と見なすことができる。そして、高確率流下領域が１つ以上の遊技球が進入可能な大きさになっているので、実質的な側方境界入賞口である入賞境界線分を通過した遊技球が高確率流下領域を移動して側方境界入賞口へと入球する様子を遊技者は、視認して楽しむことが可能となる。これにより、遊技領域における側部領域での遊技球の流下により一層高い興味を抱かせることができ、側部領域の有効利用を図ることが可能になる。なお、高確率流下領域には、遊技球の流下経路を複数に分割する流下経路分割突部がなければよく、遊技球の流下経路を分割せずに単に遊技球と衝突し得る障害突部であれば、高確率流下領域に設けてもよいし、また設けなくてもよい。具体的には、例えば、障害突部を設ける場合は、側方境界面から遊技球１つ分未満離れた位置に障害突部としての釘や、遊技板から突出した障害突壁を設けてもよいし、また障害突部を設けなくてもよい。
［請求項３の発明］
請求項３の遊技機によれば、入賞境界線分が接する流下経路分割突部を入球ゲートにしたので、釘にした場合に比べて、側部領域における遊技球の流下が複雑になり、趣向性を向上させることが可能となる。
【手続補正１３】
【補正対象書類名】明細書
【補正対象項目名】００１９
【補正方法】変更
【補正の内容】
【００１９】
［請求項４の発明］
側方境界部材は、請求項４の構成のように、遊技領域を包囲する包囲壁の一部とその包囲壁に宛がわれたサイド突部で構成されていてもよいし、包囲壁のみで構成されていてもよい。また、側方境界部材を包囲壁のみで構成した場合には、例えば、包囲壁の一部を例えばブロック構造にして、そのブロック構造の包囲壁の側方境界面に側方境界入賞口を開口させてもよい。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
［請求項５の発明］
請求項５の遊技機では、遊技板の前面のうち側方境界面と隣り合わせになる位置に前面開口を設けて、その前面開口の下縁部を中心に回動する前後回動蓋で開閉可能とし、前後回動蓋が開状態になったときに前後回動蓋と前面開口との間に上方に開口した側方境界入賞口が形成されるようにしたので、常時開放した側方境界入賞口を設けた場合に比べて、遊技領域における側部領域での遊技球の流下に変化が生じて、より一層高い興味を抱かせることができ、側部領域の有効利用を図ることが可能となる。
【手続補正１９】
【補正対象書類名】明細書
【補正対象項目名】００２５
【補正方法】変更
【補正の内容】
【００２５】
［請求項６の発明］
請求項６の遊技機では、側方境界入賞口が側方境界面に開口し、その側方境界入賞口の下縁部を中心にして左右に回動する左右回動蓋にて側方境界入賞口が開閉されるので、常時開放した側方境界入賞口を設けた場合に比べて、遊技領域における側部領域での遊技球の流下に変化が生じて、より一層高い興味を抱かせることができ、側部領域の有効利用を図ることが可能となる。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
［請求項７の発明］
請求項７の遊技機では、遊技板のうち側方境界面と演出部材側縁突壁に挟まれた部分の少なくとも一部が透光部材で構成されているので、遊技板の裏側を視認して楽しむことが可能となる。